【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
モバイルデバイスに第１のメッセージを送信することと、前記第１のメッセージは、選択されたヒートマップタイルを備える、
前記モバイルデバイスから第２のメッセージを受信することと、前記第２のメッセージは、前記選択されたヒートマップタイル内の前記モバイルデバイスの粗いロケーションを備える、
前記モバイルデバイスに第３のメッセージを送信することと、前記第３のメッセージは、前記粗いロケーションと、ベクトルの終点を中心とする追加のヒートマップタイルを少なくとも部分的に使用して計算されたベクトルを介して推定された前記モバイルデバイスのポジションフィックスに向かう前記選択されたヒートマップタイルの中心からの方向のインジケーションと、に少なくとも部分的に基づいて取得されたローカルに定義された地理的エリアに関する詳細なタイリングされた電波ヒートマップを備える、
を備える方法。
【請求項２】
前記選択されたヒートマップタイルは、１つまたは複数の無線送信機のロケーションを備え、前記１つまたは複数の無線送信機は、好ましくは、既知のロケーションに位置している１つまたは複数のアクセスポイントを備える、請求項１に記載の方法。
【請求項３】
前記モバイルデバイスの前記粗いロケーションは、１つまたは複数の無線送信機の１つまたは複数の無線シグナリング測定値に少なくとも部分的に基づいて推定される、請求項１に記載の方法。
【請求項４】
前記１つまたは複数の無線シグナリング測定値は、前記１つまたは複数の無線送信機までの測定された距離を示す少なくとも１つの測定値を備える、請求項３に記載の方法。
【請求項５】
前記モバイルデバイスの前記粗いロケーションは、前記１つまたは複数の無線シグナリング測定値のうちの１つまたは複数のより強い測定値の重心、前記１つまたは複数の無線シグナリング測定値の最小平均２乗誤差（ＭＭＳＥ）推定値、またはこれらの任意の組み合わせ、のうちの少なくとも１つに関連して推定される、請求項３に記載の方法。
【請求項６】
前記１つまたは複数の無線シグナリング測定値は、受信信号強度インジケータ（ＲＳＳＩ）測定値、ラウンドトリップ遅延時間（ＲＴＴ）測定値、またはこれらの任意の組み合わせ、のうちの少なくとも１つを備える、請求項３に記載の方法。
【請求項７】
前記詳細なタイリングされた電波ヒートマップは、スパース電波ヒートマップによってカバーされるエリアよりも小さいエリアをカバーする、または前記詳細なタイリングされた電波ヒートマップは、単一のＬＣＩによって識別可能なエリアをカバーする、請求項１に記載の方法。
【請求項８】
前記詳細なタイリングされた電波ヒートマップは、スパース電波ヒートマップによってカバーされるエリアと実質的に同じエリアをカバーし、前記スパース電波ヒートマップは、好ましくは、複数のロケーションコンテキスト識別子（ＬＣＩ）によって識別可能なエリアをカバーする、請求項１に記載の方法。
【請求項９】
前記選択されたヒートマップタイルは、前記モバイルデバイスの前記粗いロケーションを含むエリアの一部分をカバーする選択された電波ヒートマップを備える、請求項１に記載の方法。
【請求項１０】
前記エリアの前記部分は、ＬＣＩによって識別可能である、請求項９に記載の方法。
【請求項１１】
前記ＬＣＩは、複数の矩形ヒートマップタイル、または単一の矩形ヒートマップタイル、のうちの少なくとも１つを備える、請求項１０に記載の方法。
【請求項１２】
前記選択された電波ヒートマップは、単一のヒートマップタイルを備える、請求項９に記載の方法。
【請求項１３】
前記ポジションフィックスは、少なくともあと１つの追加のヒートマップタイルに関連付けられたエリアを少なくとも部分的に使用して計算された前記ベクトルを介して推定される、請求項１に記載の方法。
【請求項１４】
モバイルデバイスに第１のメッセージを送信するための手段と、前記第１のメッセージは、選択されたヒートマップタイルを備える、
前記モバイルデバイスから第２のメッセージを受信するための手段と、前記第２のメッセージは、前記選択されたヒートマップタイル内の前記モバイルデバイスの粗いロケーションを備える、
前記モバイルデバイスに第３のメッセージを送信するための手段と、前記第３のメッセージは、前記粗いロケーションと、ベクトルの終点を中心とする追加のヒートマップタイルを少なくとも部分的に使用して計算されたベクトルを介して推定された前記モバイルデバイスのポジションフィックスに向かう前記選択されたヒートマップタイルの中心からの方向のインジケーションと、に少なくとも部分的に基づいて取得されたローカルに定義された地理的エリアに関する詳細なタイリングされた電波ヒートマップを備える、
を備える装置。
【請求項１５】
請求項１乃至１３のいずれか１項に記載の方法を実行するために専用コンピューティングプラットフォームによって実行可能な命令を記憶した非一時的な記憶媒体
を備える物品。
【手続補正２】
【補正対象書類名】明細書
【補正対象項目名】００６５
【補正方法】変更
【補正の内容】
【００６５】
[0068]  ある特定の実例的な技法が、様々な方法またはシステムを使用して本明細書で説明および示されたが、特許請求される主題事項を逸脱することなく、様々な他の修正が行なわれることができ、均等物を代用することができることが、当業者に理解されるべきである。さらに、本明細書で説明された中心概念から逸脱することなく、特許請求される主題事項の教示に特定の状況を適合させるために、多くの修正が行なわれうる。したがって、特許請求される主題事項は、開示された特定の例に限定されず、このような特許請求される主題事項は、添付の特許請求の範囲の範囲内に入るすべてのインプリメンテーションと、その均等物とを含むものとする。
以下に、本願出願の当初の特許請求の範囲に記載された発明を付記する。
［Ｃ１］
モバイルデバイスに第１のメッセージを送信することと、前記第１のメッセージは、短縮された測位支援データを備える、
前記モバイルデバイスから第２のメッセージを受信することと、前記第２のメッセージは、前記モバイルデバイスの粗いロケーションのインジケーションを備える、
前記モバイルデバイスに第３のメッセージを送信することと、前記第３のメッセージは、前記モバイルデバイスの前記粗いロケーションの前記受信されたインジケーションに少なくとも部分的に基づいて取得された詳細なタイリングされた電波ヒートマップを備える、
を備える方法。
［Ｃ２］
前記短縮された測位支援データは、１つまたは複数の無線送信機のロケーションを備える、Ｃ１に記載の方法。
［Ｃ３］
前記１つまたは複数の無線送信機は、既知のロケーションに位置している１つまたは複数のアクセスポイントを備える、Ｃ２に記載の方法。
［Ｃ４］
前記モバイルデバイスの前記粗いロケーションは、１つまたは複数の無線送信機の１つまたは複数の無線シグナリング測定値に少なくとも部分的に基づいて推定される、Ｃ１に記載の方法。
［Ｃ５］
前記１つまたは複数の無線シグナリング測定値は、前記１つまたは複数の無線送信機までの測定された距離を示す少なくとも１つの測定値を備える、Ｃ４に記載の方法。
［Ｃ６］
前記モバイルデバイスの前記粗いロケーションは、前記１つまたは複数の無線シグナリング測定値のうちの１つまたは複数のより強い測定値の重心、前記１つまたは複数の無線シグナリング測定値の最小平均２乗誤差（ＭＭＳＥ）推定値、またはこれらの任意の組み合わせ、のうちの少なくとも１つに関連して推定される、Ｃ４に記載の方法。
［Ｃ７］
前記１つまたは複数の無線シグナリング測定値は、受信信号強度インジケータ（ＲＳＳＩ）測定値、ラウンドトリップ遅延時間（ＲＴＴ）測定値、またはこれらの任意の組み合わせ、のうちの少なくとも１つを備える、Ｃ４に記載の方法。
［Ｃ８］
前記短縮された測位支援データは、スパース電波ヒートマップを備える、Ｃ１に記載の方法。
［Ｃ９］
前記詳細なタイリングされた電波ヒートマップは、スパース電波ヒートマップによってカバーされるエリアよりも小さいエリアをカバーする、Ｃ１に記載の方法。
［Ｃ１０］
前記詳細なタイリングされた電波ヒートマップは、スパース電波ヒートマップによってカバーされるエリアと実質的に同じエリアをカバーする、Ｃ１に記載の方法。
［Ｃ１１］
前記スパース電波ヒートマップは、複数のロケーションコンテキスト識別子（ＬＣＩ）によって識別可能なエリアをカバーする、Ｃ１０に記載の方法。
［Ｃ１２］
前記詳細なタイリングされた電波ヒートマップは、単一のＬＣＩによって識別可能なエリアをカバーする、Ｃ１に記載の方法。
［Ｃ１３］
前記短縮された測位支援データは、前記モバイルデバイスの前記粗いロケーションを含むエリアの一部分をカバーする選択された電波ヒートマップを備える、Ｃ１に記載の方法。
［Ｃ１４］
前記エリアの前記部分は、ＬＣＩによって識別可能である、Ｃ１３に記載の方法。
［Ｃ１５］
前記ＬＣＩは、複数の矩形ヒートマップタイル、または単一の矩形ヒートマップタイル、のうちの少なくとも１つを備える、Ｃ１４に記載の方法。
［Ｃ１６］
前記選択された電波ヒートマップは、単一のヒートマップタイルを備える、Ｃ１３に記載の方法。
［Ｃ１７］
前記モバイルデバイスの前記粗いロケーションの前記インジケーションは、前記モバイルデバイスのポジションフィックスに向かう選択されたヒートマップタイルの中心からの方向のインジケーションを備える、Ｃ１に記載の方法。
［Ｃ１８］
前記ポジションフィックスは、少なくとも１つの追加のヒートマップタイルに関連付けられたエリアを少なくとも部分的に使用して計算された前記ポジションフィックスに向かうベクトルを介して推定される、Ｃ１７に記載の方法。
［Ｃ１９］
前記詳細なタイリングされた電波ヒートマップは、ヒートマップタイルを備える、Ｃ１に記載の方法。
［Ｃ２０］
無線ネットワークと通信するための無線トランシーバと、
前記無線トランシーバにおいて受信された第１のメッセージを取得し、前記第１のメッセージは、短縮された測位支援データを備える、
前記無線トランシーバを介して第２のメッセージの送信を開始し、前記第２のメッセージは、モバイルデバイスの粗いロケーションのインジケーションを備える、
前記無線トランシーバにおいて受信された第３のメッセージを取得する、前記第３のメッセージは、前記モバイルデバイスの前記粗いロケーションの前記送信されたインジケーションに少なくとも部分的に基づいて選択された詳細なタイリングされた電波ヒートマップを備える、
ための命令によりプログラムされた１つまたは複数のプロセッサと、
を備えるモバイルデバイス、
を備える装置。
［Ｃ２１］
前記短縮された測位支援データは、１つまたは複数の無線送信機のロケーションを備える、Ｃ２０に記載の装置。
［Ｃ２２］
前記モバイルデバイスの前記粗いロケーションは、前記１つまたは複数の無線送信機の１つまたは複数の無線シグナリング測定値に少なくとも部分的に基づいて推定される、Ｃ２０に記載の装置。
［Ｃ２３］
前記短縮された測位支援データは、スパース電波ヒートマップを備える、Ｃ２０に記載の装置。
［Ｃ２４］
前記短縮された測位支援データは、前記モバイルデバイスの前記粗いロケーションを含むエリアの一部分をカバーする選択されたヒートマップタイルを備える、Ｃ２０に記載の装置。
［Ｃ２５］
前記モバイルデバイスの前記粗いロケーションの前記インジケーションは、前記モバイルデバイスのポジションフィックスに向かう選択されたヒートマップタイルの中心からの方向のインジケーションを備える、Ｃ２０に記載の装置。
［Ｃ２６］
前記ポジションフィックスは、少なくとも１つの追加のヒートマップタイルに関連付けられたエリアを少なくとも部分的に使用して計算された前記ポジションフィックスに向かうベクトルを介して推定される、Ｃ２５に記載の装置。
［Ｃ２７］
モバイルデバイスに第１のメッセージを送信するための手段と、前記第１のメッセージは、短縮された測位支援データを備える、
前記モバイルデバイスから第２のメッセージを受信するための手段と、前記第２のメッセージは、前記モバイルデバイスの粗いロケーションのインジケーションを備える、
前記モバイルデバイスに第３のメッセージを送信するための手段と、前記第３のメッセージは、前記モバイルデバイスの前記粗いロケーションの前記受信されたインジケーションに少なくとも部分的に基づいて取得された詳細なタイリングされた電波ヒートマップを備える、
を備える装置。
［Ｃ２８］
前記短縮された測位支援データは、１つまたは複数の無線送信機のロケーションを備える、Ｃ２７に記載の装置。
［Ｃ２９］
前記モバイルデバイスの前記粗いロケーションは、１つまたは複数の無線送信機の１つまたは複数の無線シグナリング測定値に少なくとも部分的に基づいて推定される、Ｃ２７に記載の装置。
［Ｃ３０］
前記１つまたは複数の無線シグナリング測定値は、前記１つまたは複数の無線送信機までの測定された距離を示す少なくとも１つの測定値を備える、Ｃ２９に記載の装置。
［Ｃ３１］
前記モバイルデバイスの前記粗いロケーションは、前記１つまたは複数の無線シグナリング測定値のうちの１つまたは複数のより強い測定値の重心、前記１つまたは複数の無線シグナリング測定値の最小平均２乗誤差（ＭＭＳＥ）推定値、またはこれらの任意の組み合わせ、のうちの少なくとも１つに関連して推定される、Ｃ２９に記載の装置。
［Ｃ３２］
前記１つまたは複数の無線シグナリング測定値は、受信信号強度インジケータ（ＲＳＳＩ）測定値、ラウンドトリップ遅延時間（ＲＴＴ）測定値、またはこれらの任意の組み合わせ、のうちの少なくとも１つを備える、Ｃ２９に記載の装置。
［Ｃ３３］
前記短縮された測位支援データは、スパース電波ヒートマップを備える、Ｃ２７に記載の装置。
［Ｃ３４］
前記詳細なタイリングされた電波ヒートマップは、スパース電波ヒートマップによってカバーされるエリアよりも小さいエリアをカバーする、Ｃ２７に記載の装置。
［Ｃ３５］
前記詳細なタイリングされた電波ヒートマップは、スパース電波ヒートマップによってカバーされるエリアと実質的に同じエリアをカバーする、Ｃ２７に記載の装置。
［Ｃ３６］
前記スパース電波ヒートマップは、複数のロケーションコンテキスト識別子（ＬＣＩ）によって識別可能なエリアをカバーする、Ｃ３５に記載の装置。
［Ｃ３７］
前記詳細なタイリングされた電波ヒートマップは、単一のＬＣＩによって識別可能なエリアをカバーする、Ｃ２７に記載の装置。
［Ｃ３８］
前記短縮された測位支援データは、前記モバイルデバイスの前記粗いロケーションを含むエリアの一部分をカバーする選択された電波ヒートマップを備える、Ｃ２７に記載の装置。
［Ｃ３９］
前記選択された電波ヒートマップは、単一のヒートマップタイルを備える、Ｃ３８に記載の装置。
［Ｃ４０］
前記モバイルデバイスの前記粗いロケーションの前記インジケーションは、前記モバイルデバイスのポジションフィックスに向かう選択されたヒートマップタイルの中心からの方向のインジケーションを備える、Ｃ２７に記載の装置。
［Ｃ４１］
前記ポジションフィックスは、少なくとも１つの追加のヒートマップタイルに関連付けられたエリアを少なくとも部分的に使用して計算された前記ポジションフィックスに向かうベクトルを介して推定される、Ｃ４０に記載の装置。
［Ｃ４２］
前記詳細なタイリングされた電波ヒートマップは、ヒートマップタイルを備える、Ｃ２７に記載の装置。
［Ｃ４３］
モバイルデバイスへの第１のメッセージの送信を開始し、前記第１のメッセージは、短縮された測位支援データを備える、
前記モバイルデバイスから受信された第２のメッセージを取得し、前記第２のメッセージは、前記モバイルデバイスの粗いロケーションのインジケーションを備える、
前記モバイルデバイスへの第３のメッセージの送信を開始する、前記第３のメッセージは、前記モバイルデバイスの前記粗いロケーションの前記受信されたインジケーションに少なくとも部分的に基づいて取得された詳細なタイリングされた電波ヒートマップを備える、
ために専用コンピューティングプラットフォームによって実行可能な命令を記憶した非一時的な記憶媒体
を備える物品。
［Ｃ４４］
前記短縮された測位支援データは、１つまたは複数の無線送信機のロケーションを備える、Ｃ４３に記載の物品。
［Ｃ４５］
前記短縮された測位支援データは、スパース電波ヒートマップを備える、Ｃ４３に記載の物品。
［Ｃ４６］
前記短縮された測位支援データは、前記モバイルデバイスの前記粗いロケーションを含むエリアの一部分をカバーする選択されたヒートマップタイルを備える、Ｃ４３に記載の物品。
［Ｃ４７］
前記モバイルデバイスの前記粗いロケーションの前記インジケーションは、前記モバイルデバイスのポジションフィックスに向かう選択されたヒートマップタイルの中心からの方向のインジケーションを備える、Ｃ４３に記載の物品。